【手続補正書】
【提出日】平成17年8月2日(2005.8.2)
【手続補正１】
【補正対象書類名】明細書
【補正対象項目名】全文
【補正方法】変更
【補正の内容】
【書類名】      明細書
【発明の名称】  ピルファープルーフ機構付き容器
【特許請求の範囲】
【請求項１】  キャップのスカート部の下方に、円周方向に沿って破断可能な弱化部を介して、ピルファープルーフバンドが一体的に形成されていると共に、キャップが冠着される容器本体の口頸部に、キャップの側に形成されたネジと螺合するネジが形成され、このネジよりも下方で、ピルファープルーフバンドの側に形成された係合片とラチェット係合する係合片が形成されているようなピルファープルーフ機構付き容器において、ピルファープルーフバンドの内面側と、それに対向する口頸部の外面側とに、それぞれ円周方向に間隔を置いて６個以上の係合片が、開栓方向で係合するラチェット係合用として形成されていて、対称位置となる２個所で対向する係合片同士が乗り越え後の係合状態で、残りの４個所以上で対向する係合片同士が乗り上げ前の状態となるように、一方の側と他方の側の対向する係合片同士の位置関係が部分的にずらされていると共に、開封時にキャップを開栓方向に回動させる際に、最初は対称位置となる２個所で対向する係合片同士が係合状態となっていることを特徴とするピルファープルーフ機構付き容器。
【請求項２】  少なくとも口頸部の外面側で、隣り合う係合片同士の間隔が部分的に長くなるように、６個以上の係合片が対称的に偏った状態で配置されていると共に、隣り合う係合片同士の間隔が長い部分に対応するように、ピルファープルーフバンドの内方への変形を抑えるための突出部分が口頸部の下端付近に形成されていることを特徴とする請求項１に記載のピルファープルーフ機構付き容器。
【発明の詳細な説明】
【０００１】
【発明の属する技術分野】
本発明は、ピルファープルーフキャップを容器本体の口頸部に冠着していることでピルファープルーフ機能が付与されている容器（キャップと容器本体）に関し、特に、キャップのピルファープルーフバンドの内面側と、それに対向する容器本体の口頸部の外面側とを、それぞれの側に形成した係合片によって開栓方向で係合するようにラチェット係合させることで、容器の開封時に口頸部に対してピルファープルーフバンドを係止させておくようにした、ピルファープルーフ機構付き容器に関する。
【０００２】
【従来の技術】
最初にキャップを取り外して容器を開封する際に、キャップのスカート部の下方に一体的に形成されているピルファープルーフバンドが切り離されることで、容器が開封されたことを明示して、不正に使用されるのを防止するようにした、所謂ピルファープルーフ（タンパーエビデンス）機構については、従来から各種の飲料容器等において広く一般的に採用されており、そのようなピルファープルーフ機構を備えた容器において、合成樹脂製キャップのピルファープルーフバンドを容器本体の口頸部に対して係止させるための構造として、ピルファープルーフバンドの内面側と、それに対向する口頸部の外面側とに、それぞれ複数個の係合片を形成して、両方の係合片同士をキャップの開栓方向の回動でだけ係合するようにラチェット係合させるようにした構造が従来から多く使用されている。
【０００３】
【発明が解決しようとする課題】
ところで、上記のようなラチェット式のピルファープルーフ機構を備えた容器では、容器本体へのキャップの装着時には、一方の側の係合片が他方の側の係合片を乗り越えることで、口頸部に対してピルファープルーフバンドがキャップと一体的に閉栓方向に回動するのを許容すると共に、装着されたキャップを容器本体から最初に取り外す容器の開封時には、一方の側の係合片と他方の側の係合片とが開栓方向で係合することにより、口頸部に対してピルファープルーフバンドだけが係止され、キャップだけが開栓方向に回動することとなって、その結果、キャップのスカート部とピルファープルーフバンドの間の弱化部が破断されてピルファープルーフバンドが切り離され、それによって、容器の開封が明示されることとなる。
【０００４】
そのようなラチェット式のピルファープルーフ機構を備えた容器において、口頸部の側とピルファープルーフバンドの側の係合片同士のラチェット係合の係合強度が不充分であると、開封時にキャップを開栓方向に回動させた際に、一方の側の係合片が他方の側の係合片を逆方向（開栓方向）に乗り越えて、弱化部を破断させることなくキャップと一体的にピルファープルーフバンドが回動してしまうため、対向する係合片同士の数を増やしたり噛み合わせを深くしたりすることで、ラチェット係合の係合強度を充分なものにする必要があるが、そうすることで、キャッピングマシーンによりキャップを容器本体に装着する際に、一方の側の係合片が他方の側の係合片を乗り越える時の乗り上げによる抵抗力が大きくなって、キャップを閉栓方向に回動するのに一時的に大きなトルクが必要となってしまう。
【０００５】
この点について、一般的に、従来のキャッピングマシーンでは、キャップを口頸部に螺合させて締め付けることで容器本体に装着する際に、締め付けトルクが所定値に達すると締め付けを完了するように設定しているが、前記のように、一方の側の係合片が他方の側の係合片を乗り越える時にキャップの回動トルクが一時的に大きくなって、それが所定値を超えてしまうと、キャップが完全に装着されていない（閉まりきっていない）にも拘らず、その時点でキャップの締め付けが完了したものと見なされてしまい、その結果、キャップの締め付け不足による密封不良が発生するような虞がある。
【０００６】
本発明は、上記のような問題の解消を課題とするものであり、具体的には、ラチェット式のピルファープルーフ機構を備えた容器について、キャップの装着時には、ラチェット係合片の乗り越えによるトルクの一時的な増大を抑えることで、キャップの締め付けを確実に行なうことができ、しかも、容器の開封時には、ラチェット係合片による係合の効果を確実なものとして、ピルファープルーフバンドの切り離しを確実に行なうことができるようにすることを課題とするものである。
【０００７】
【課題を解決するための手段】
本発明は、上記のような課題を解決するために、キャップのスカート部の下方に、円周方向に沿って破断可能な弱化部を介して、ピルファープルーフバンドが一体的に形成されていると共に、キャップが冠着される容器本体の口頸部に、キャップの側に形成されたネジと螺合するネジが形成され、このネジよりも下方で、ピルファープルーフバンドの側に形成された係合片とラチェット係合する係合片が形成されているようなピルファープルーフ機構付き容器において、ピルファープルーフバンドの内面側と、それに対向する口頸部の外面側とに、それぞれ円周方向に間隔を置いて６個以上の係合片が、開栓方向で係合するラチェット係合用として形成されていて、対称位置となる２個所で対向する係合片同士が乗り越え後の係合状態で、残りの４個所以上で対向する係合片同士が乗り上げ前の状態となるように、一方の側と他方の側の対向する係合片同士の位置関係が部分的にずらされていると共に、開封時にキャップを開栓方向に回動させる際に、最初は対称位置となる２個所で対向する係合片同士が係合状態となっていることを特徴とするものである。
【０００８】
上記のような構成によれば、ピルファープルーフバンドの側と口頸部の側の対向する係合片同士の位置関係が部分的にずらされて、容器本体へのキャップの装着時（キャップの締め付け時）に、対向する係合片同士の全てで同時的に乗り越えが起こらず、そのうちの幾つかずつでタイミングをずらせて乗り越えが起きることで、ラチェット係合片の乗り越えによるトルクの一時的な増大量を小さく抑えることができると共に、キャップの締め付けが完了する直前では、係合片の乗り越えを２個所のみと少なくして、締め付け直前での乗り越えによるトルク増大量を最も小さくしていることから、キャップの締め付けによる容器の密封を確実なものにすることができる。また、容器の開封時には、対向する係合片同士のうちの２個所による係合状態が外れて逆方向（開栓方向）の乗り越えが起きたとしても、それに続いて残り４個所以上で対向する係合片同士による係合が始まることから、両方の係合片によるラチェット係合の効果を確実なものにすることができる。
【０００９】
【発明の実施の形態】
以下、本発明のピルファープルーフ機構付き容器の実施形態について、図面に基づいて詳細に説明する。なお、本発明の第１実施形態について、図１は、キャップが装着される前の容器の全体を示し、図２は、キャップが装着されて未開封の容器の上部を示し、図３は、口頸部とピルファープルーフバンドとにそれぞれ形成されるラチェット係合片の配置状態を示し、図４は、口頸部の下端付近でのピルファープルーフバンドの状態について、（Ａ）キャップ締め付け完了前の状態と、（Ｂ）キャップ締め付け完了後の状態と、（Ｃ）キャップを取り外した容器開封後の状態とをそれぞれ示すものである。
【００１０】
本発明の第１実施形態に係るピルファープルーフ機構付き容器については、合成樹脂製のキャップ１と、合成樹脂製又はガラス製の容器本体とによるもので、図１に示すように、射出成形により一体成形されたキャップ１には、その天板部１１の周縁から下方に垂下するスカート部１２の内面側にネジ１３が形成され、スカート部１２の下方に、破断可能な弱化部１４を介して、内面側に複数個の係合片１６を備えたピルファープルーフバンド１５が一体的に形成されているのに対して、容器本体２には、その口頸部２１の外面側に、キャップ１のネジ１３と螺合するネジ２２が形成され、ネジ２２よりも下方に、ピルファープルーフバンド１５の係合片１６とラチェット係合するように、複数個の係合片２３が形成されている。
【００１１】
そのようなピルファープルーフ機構付き容器において、図２に示すように、キャップ１のスカート部１２とピルファープルーフバンド１５との間の弱化部１４では、スカート部１２の下端とピルファープルーフバンド１５の上端との間の幅のある隙間（水平スリット）に対して、スカ−ト部１２の下端とピルファープルーフバンド１５の上端とを接続する破断可能なブリッジ１４ａが円周方向に間隔を置いて複数個形成されていると共に、キャップ１の締め付け時における円周方向の動きをピルファープルーフバンド１５に伝達するために、スカ−ト部１２の下端面とピルファープルーフバンド１５の上端面のそれぞれに形成された係合面と乗り越え面とによる水平伝動突起１４ｂが、また、キャップ１の締め付け時における下方向の動きをピルファープルーフバンド１５に伝達するために、スカ−ト部１２の下端面に形成されてピルファープルーフバンド１５の上端面に近接した平坦面を有する垂直伝動突起１４ｃ（ピルファープルーフバンド１５の上端面に形成しても良い）が、それぞれ弱化部１４の円周方向の対称位置の２個所で形成されている。
【００１２】
そのような弱化部１４を介してキャップ１のスカ−ト部１２の下方に形成されるピルファープルーフバンド１５の内面側と、それに対向する容器本体２の口頸部２１の下端付近の外面側には、図３に示すように、ラチェット係合用の係合片１６、２３が、それぞれ円周方向に間隔を置いて複数個（６個以上）形成されており、各係合片１６、２３同士は、キャップの閉栓方向（図３における時計回り方向）への回動では相手側を乗り越えるが、開栓方向（図３における反時計回り方向）への回動では相手側と係合するように形成されている。なお、ピルファープルーフバンド１５の下端内面側（係合片１６の下方）には、図４に示すように、口頸部２１の係止片２３の外径（各係止片２３の外端同士を結ぶ仮想円の径）よりも僅かに小さな内径となるように、内方に突出する小径部１７が環状に（又は円周方向に所定の間隔を置いて）形成されている。
【００１３】
ピルファープルーフバンド１５の側の係合片１６と、口頸部２１の側の係合片２３とは、何れも、キャップ１の開栓方向への回動で当接する係合面と、その背後の乗り越え面とを有するものであれば良いが、平面視で片傾斜屋根の形状となる各係止片１６、２３について、各係止片１６、２３同士の係合強度に問題がない限りにおいて、一方の係合片１６が他方の係合片２３を乗り越える時の乗り上げを短時間で終了させるという観点からすれば、各係止片１６、２３の頂点の部分（係合片１６の内端部分および係合片２３の外端部分）を、幅が極小（例えば、０．５ｍｍ以下）となるようにして、平面視で略直角三角形状となるように形成しておくことが好ましい。
【００１４】
また、各係合片１６、２３のそれぞれの係合面については、基本的には何れも垂直壁（容器本体の中心軸線から放射状に延びる方向の壁）とするのが好ましいが、例えば、口頸部２１の側の係合片２３について言えば、二つ割りの金型を使って容器をブロー成形するような場合に、ブロー成形後に各金型を割って分離させる際に、全ての係合片の係合面を垂直壁に形成していると、そのうちの幾つか係合片で、金型が係合片の係合面と引っ掛かって、所定形状に成形した係合片が変形するような虞もあることから、そのような場合には、金型が引っ掛かる係合片の係合面については、垂直面に近い急傾斜の傾斜壁としても良い。
【００１５】
ピルファープルーフバンド１５の側の係合片１６と、口頸部２１の側の係合片２３のそれぞれの配置については、図３に示すように、ピルファープルーフバンド１５の側と口頸部２１の側との対向する係合片１６、２３同士の位置関係が部分的にずらされており、一方の係合片２３のうちの幾つかを他方の係合片１６が乗り越えた時に、一方の残りの係合片２３に対して他方の係合片１６が乗り上げ前の状態となるように、少なくとも一方の係合片２３については円周方向で不均等な間隔に配置されている。
【００１６】
なお、ピルファープルーフバンド１５の側の係合片１６と、口頸部２１の側の係合片２３の個数については、例えば、口頸部２１のネジ２２から開口上端までの高さにバラツキがある等の理由によりキャップ１の締め付け完了位置が若干変わったとしても、締め付け完了位置において対向する係合片１６、２３同士の２箇所で確実に係合状態となるように、何れか一方では係合片の個数を多く（間隔を小さく）することが好ましく、しかも、必要な係合強度が得られる限りにおいて係合片１６、２３同士の乗り越えによる抵抗を少なくするように、その相手側では係合片の個数を少なくすることが好ましい。そのため、本実施形態では、具体的には、口頸部２１の係合片２３の個数を６個、ピルファープルーフバンド１５の係合片１６の個数を１６個としている（その逆となるようにしても良い）。そのようなものでは、口頸部２１の係合片２３がある６個所で（即ち、数が少ない方の係合片の部分で）、係合片１６、２３同士が対向することとなる。
【００１７】
上記のようにピルファープルーフバンド１５と口頸部２１にラチェット係合用の係合片１６、２３を設けたピルファープルーフ機構付き容器では、キャッピングマシーンによるキャップの締め付けにより容器本体２の口頸部２１にキャップ１を装着する際に、キャップ１の円周方向の動きが弱化部１４の水平伝動突起１４ｂによりピルファープルーフバンド１５に伝達され、キャップ１の下方向の動きが弱化部１４の垂直伝動突起１４ｃによりピルファープルーフバンド１５に伝達されることで、弱化部１４のブリッジ１４ａを破断させることなく、キャップ１と一体的にピルファープルーフバンド１５が閉栓方向に回動することとなるが、そのようなキャップ１の締め付け時には、その終盤の段階において、図４（Ａ），（Ｂ）に示すように、ピルファープルーフバンド１５の内面側に形成された係合片１６が、口頸部２１の外面側に形成された係合片２３を乗り越えて、ピルファープルーフバンド１５の下端内側の小径部１７が、口頸部２１の係合片２３の下方に入り込むことで、キャップ１（及びピルファープルーフバンド１５）が締め付け完了位置となって、口頸部２１へのキャップ１の装着が完了する。
【００１８】
そのような容器本体２の口頸部２１へのキャップ１の装着時において、ピルファープルーフバンド１５の係合片１６が口頸部２１の係合片２３を乗り越えるときに、図３に示すように、口頸部２１の各係合片２３のうちの幾つかが、それと対向するピルファープルーフバンド１５の係合片１６（円周方向に一定の間隔で配置されている）から僅かにずらされていることで、口頸部２１の係合片２３に対するピルファープルーフバンド１５の係合片１６の乗り越えが、対向する係合片１６、２３同士の全てで同時的に起こらず、そのうちの幾つかずつ（具体的には２個所と４個所とで）タイミングをずらせて起きることとなる。
【００１９】
また、容器本体２の口頸部２１に装着されたキャップ１を最初に取り外して容器を開封する際には、キャップ１を開栓方向に捻り始める時点で、図３に示すように、ピルファープルーフバンド１５と口頸部２１の対向する係合片１６、２３同士のうちの２個所でだけ、係合片１６、２３同士が当接して係合しており、そのような状態からキャップ１を開栓方向に捻ると、ピルファープルーフバンド１５は、係合片１６、２３同士の係合によって口頸部２１に回動不能に係止されているのに対して、キャップ１は、弱化部１４の水平伝動突起１４ｂでの乗り越えにより回動が許容されて、キャップ１だけが回動することになるから、弱化部１４のブリッジ１４ａが破断されて、キャップ１とピルファープルーフバンド１５が切り離されることとなる。
【００２０】
そのような容器の開封の際に、容器本体２の口頸部２１とピルファープルーフバンド１５との間で、２個所で最初に係合している係合片１６、２３同士の係合がもし外れた（係合片１６が係合片２３を開栓方向に乗り越えた）としても、それに続いて直ちに、残りの４個所で、口頸部２１の係合片２３がピルファープルーフバンド１５の係合片１６と係合することとなって、ピルファープルーフバンド１５は口頸部２１に確実に係止されることとなる。そして、キャップ１から切り離されて口頸部２１の側に残ったピルファープルーフバンド１５は、図４（Ｃ）に示すように、その下端の小径部１７が口頸部２１の係合片２３によって抜け止めされていることで、容器本体２を逆さにしても口頸部２１から抜け落ちることはない。
【００２１】
上記のような本実施形態のピルファープルーフ機構付き容器では、図３に示すように、口頸部２１の外面側に形成された６個の係合片２３のうち、対称位置にある（即ち、１本の直径線上に位置する）２個の係合片で、相手側の係合片１６が乗り越えたときに（乗り越え後の係合状態で）、残り４個の係合片では、相手側の係合片１６が乗り上げ前の状態となるように、一方の側と他方の側との対向する係合片１６，２３同士の位置関係が部分的にずらされていて、キャップ１の装着時（キャッピングマシーンによるキャップの締め付け時）には、口頸部２１とピルファープルーフバンド１５の対向する係合片１６、２３同士の全てで同時的に乗り越えが起こらず、そのうちの幾つかずつ（２個所と４個所）でタイミングをずらせて乗り越えが起きることから、係合片１６が係合片２３を乗り越える時の乗り上げによるトルクの一時的な増大量を小さく抑えることができる。
【００２２】
しかも、開封時にキャップを開栓方向に回動させる際に、最初は対称位置となる２個所で対向する係合片１６、２３同士が係合状態となっている、言い換えれば、キャップの締め付けが完了する直前では、係合片の乗り越えが２個所でだけ起きる（係合片２３のうちの２個のみで係合片１６が乗り越える）ことから、キャップの締め付けが完了する直前での係合片の乗り越えによるトルク増大量を最も小さくすることができて、その結果、締め付けトルクが所定値に達すると締め付けを完了するようにキャッピングマシーンが設定されていても、一方の係合片１６が他方の係合片２３を乗り越える時に、締め付けトルクが所定値を超えることはなく、その時点でキャップの締め付けが完了したものと見なされることはないため、キャップの締め付け不足による密封不良を発生させることなく、キャッピングマシーンによるキャップの締め付けを行なうことができる
【００２３】
すなわち、キャップには、一般的に、図２に示すように、天板部１１の内面側に密封用の突起１８が形成されているが、それにより、キャップの締め付け時に、締め付け完了位置にキャップが近づくにつれ、容器本体２の開口部内縁とキャップ１の密封用突起１８とが密接することで締め付けトルクが増加することとなって、キャップの締め付けが完了する直前で締め付けトルクは最も大きくなる。これに対して、本実施形態では、キャップの締め付けが完了する直前では、６個の係合片２３のうちの２個でだけ相手側の係合片１６が乗り越えるように、係合片１６、２３同士の乗り越えの数をできるだけ少なくしていることから、キャップの締め付けが完了する直前での締め付けトルクの更なる増加分を少なく抑えることができる。なお、図３については、キャップの締め付けが完了した時点での状態を示すものである。
【００２４】
一方、容器の開封時（装着されたキャップを最初に取り外す時）には、口頸部２１とピルファープルーフバンド１５の対向する係合片１６、２３同士のうちの２個所での係合状態がもし外れた（係合片１６が係合片２３を開栓方向に乗り越えた）としても、それに続いて直ちに、残り４個所での係合片１６、２３同士による係合が始まることから、最初の係合よりも係合強度の大きい状態で係合することとなり、口頸部２１に対してピルファープルーフバンド１５を確実に係止させることができる。そのため、単に全体的に対向する係合片同士の数を減らしたり係合強度を弱くしたりすることで係合片同士の乗り越え時のトルク増大を軽減するような場合と比べて、両方の係合片１６、２３によるラチェット係合の効果を確実なものにすることができて、弱化部１４のブリッジ１４ａの破断によるピルファープルーフバンド１５の切り離しを確実に行なうことができる。
【００２５】
なお、本実施形態に示した具体例では、係合片１６、２３同士が対向する個所を６個所としている、即ち、口頸部２１の側の係合片２３を６個として、口頸部２１の２個の係合片２３でピルファープルーフバンド１５の係合片１６が乗り越えたときに、口頸部２１の４個の係合片２３では  ピルファープルーフバンド１５の係合片１６が乗り上げ前の状態となるようにしているが、そのような具体例に限らず、例えば、８個所で係合片１６、２３同士を対向させるように、口頸部２１の係合片２３を８個として、そのうちの２個で相手側の係合片１６が乗り越えたときに、残りの６個で相手側の係合片１６が乗り上げ前の状態となるようにする等であっても良く、また、係合片１６、２３同士が６個所以上で対向する限りにおいて、口頸部２１の側の係合片２３とピルファープルーフバンド１５の側の係合片１６の個数の関係が具体例とは逆（例えば、口頸部の係合片２３が１６個、ピルファープルーフバンドの係合片１６が６個）であっても良いものである。
【００２６】
ところで、上記のような本実施形態の具体例では、図３に示すように、口頸部２１の側に形成した複数個（６個）の係合片２３を、円周方向の全周を一定間隔で４つに区切った各区画毎に万遍ではなく、係合片２３の数を部分的に減らして、隣り合う係合片２３同士の間隔が他よりも長い部分が形成されるように、対称的に偏った状態で配置しているが、この口頸部２１の側に形成する複数個の係合片２３の配置については、全周的に略均等割りの状態で配置しても良いものである。なお、そのように全周的に略均等割りの状態で係合片２３を配置した場合には、円周方向で等間隔を置いてピルファープルーフバンド１５を外方に略真円状に拡げながら、係合片１６が係合片２３を乗り越えることとなる。
【００２７】
これに対して、上記の実施形態（第１実施形態）で具体例として示したように、口頸部２１の側の複数個（６個）の係合片２３を対称的に偏った状態で配置した場合には、係合片１６が係合片２３を乗り越える個所では、ピルファープルーフバンド１５が外方に拡がるように変形する一方、それに応じて、隣り合う係合片２３同士の間隔が長い部分（係合片２３の数を減らした部分）では、係合片１６の先端が口頸部２１の外面（係合片２３のない部分）に接触する位置までピルファープルーフバンド１５が内側に変形できることとなり、それによって、係合片１６が係合片２３を乗り越える個所でのピルファープルーフバンド１５の変形が容易となって、大きな力を要することなくピルファープルーフバンド１５を楕円形状（係合片１６が係合片２３を乗り越える個所付近でのピルファープルーフバンド１５の容器中心軸からの距離が、そこから容器中心軸を中心に９０°回転させた付近でのピルファープルーフバンド１５の容器中心軸からの距離よりも長い状態）に変形させながら、係合片１６を乗り越えさせることができる。その結果、キャップ装着時の係合片１６、２３同士の乗り上げによるトルクの増大量を更に減らすことができる。
【００２８】
そのような作用効果に関して、単に、ピルファープルーフバンドの内面側と、それに対向する口頸部の外面側とで、隣り合う係合片同士の間隔が他よりも長い部分を形成して、複数個の係合片を対称的に偏らせた状態に配置するというだけの構成については、ラチェット係合によるピルファープルーフ機構付きの容器において既に従来公知（例えば、特開平５−１２４６６９号公報，特開平８−９１４０１号公報等参照）となっており、そのような従来公知の構造によれば、前記の各公報中には特に記載していないが、係合片を全周的に均等割りに配置したものと比べて、係合片同士の間隔が長い部分で、ピルファープルーフバンドを内方に大きく変形させることができ、その変形量に応じて、キャップ装着時に係合片同士が乗り越える部分で、ピルファープルーフバンドが外方に大きく変形できることから、キャップ装着時の係合片同士の乗り越え時のトルクの増大量を低減できるものと考えられる。
【００２９】
しかしながら、そのような従来公知の構造では、キャップの装着時だけでなく、容器の開封時にも、係合片同士の係合部分でピルファープルーフバンドが外方に大きく変形できることから、係合片同士の係合が外れて（開栓方向に乗り越えて）、ピルファープルーフバンドが口頸部に係止されることなくキャップと共に回動してしまうことで、ピルファープルーフバンドがキャップから切り離されないような虞があり、言い換えれば、未開封の容器に対して、手でピルファープルーフバンドを内方に押さえ付けて変形させ、係合片同士の係合を外した状態として、そのままキャップを開栓方向に回動させることにより、弱化部を破断させることなく、キャップとピルファープルーフバンドを一体化したまま、容器本体からキャップを取り外すことが可能となって、ピルファープルーフ（不正使用防止）の機能を果たさないような虞がある。
【００３０】
そのような従来公知の構造の問題点については、口頸部２１の側の６個の係合片２３を対称的に偏った状態で配置している上記の実施形態（第１実施形態）の具体例の場合にも、同様の問題が発生する虞がある。なお、上記の実施形態（第１実施形態）とは具体的な構成が異なる（例えば、口頸部２１の側の係合片２３が８個であるような）ピルファープルーフ機構付き容器であっても、少なくとも口頸部の外面側で、隣り合う係合片同士の間隔が部分的に長くなるように、複数個の係合片が対称的に偏った状態で配置されている場合には、同様の問題が発生する虞がある。
【００３１】
そのような問題を解消するための本発明のピルファープルーフ機構付き容器の第２実施形態について、図５は、容器本体の一具体例の側方から見た状態を示し、図６は、図５に示した容器本体の（Ａ）上方から見た状態と（Ｂ）口頸部の一部分（突出部分）の断面構造とをそれぞれ示し、図７は、容器本体の他の具体例の側方から見た状態を示し、図８は、図７に示した容器本体の（Ａ）上方から見た状態と（Ｂ）口頸部の一部分（突出部分）の断面構造とをそれぞれ示し、図９は、口頸部の下端付近で突出部分が形成された個所でのキャップ締め付け完了後のピルファープルーフバンドの状態について、（Ａ）容器本体の一具体例の場合と、（Ｂ）容器本体の他の具体例の場合とをそれぞれ示すものである。
【００３２】
先に説明した実施形態（第１実施形態）のピルファープルーフ機構付き容器では、容器本体２の口頸部２１の側で、係合片２３の数を部分的に減らして、隣り合う係合片２３同士の間隔が他よりも長い部分を形成することで、複数個の係合片２３を対称的に偏らせた状態に配置しているのに対して、この実施形態（第２実施形態）では、そのような容器本体２の口頸部２１の隣り合う係合片２３同士の間隔が長い部分に対応して、図５或いは図７に示すように、口頸部２１の下端付近に、ピルファープルーフバンド１５の内方への変形を抑えるための突出部分２４を形成している。
【００３３】
そのような構成によれば、口頸部２１の側に係合片２３同士の間隔を長くした部分があっても、この部分に対応して、口頸部２１の下端付近に、ピルファープルーフバンド１５の内方への変形を抑えるための突出部分２４を形成していることから、容器の開封時には、この突出部分２４によりピルファープルーフバンド１５の内方への変形が抑えられ、その結果、係合片１６、２３同士の係合部分でピルファープルーフバンド１５が外方に大きく変形することはなく、ピルファープルーフバンド１５を口頸部２１に確実に係止させておくことができて、容器の開封時におけるピルファープルーフバンド１５の切り離しを確実に行なうことができる。
【００３４】
なお、この実施形態（第２実施形態）の各具体例について、図５に示す具体例では、図６（Ａ），（Ｂ）に示すように、口頸部２１の係合片２３同士の間隔を長くした部分に対応して、口頸部２１の下端付近で係合片２３よりも下方に、口頸部２１の壁部を部分的に外方に膨出させた状態で、ピルファープルーフバンド１５の小径部１７の内径と略等しい外径を有する突出部分２４を形成しており、それによって、図９（Ａ）に示すように、キャップの装着時の締め付けが完了した時点で、ピルファープルーフバンド１５の下端内面の小径部１７が、口頸部２１の突出部分２４の外面に当接するようにして、ピルファープルーフバンド１５が内方に変形するのを抑えるようにしている。
【００３５】
また、図７に示す具体例では、図８（Ａ），（Ｂ）に示すように、口頸部２１の係合片２３同士の間隔を長くした部分に対応して、口頸部２１の下端付近で係合片２３の下端位置と下端位置を揃えるように、縦幅（厚さ）が比較的小さい板状の突起を口頸部２１の外面から内方に突出させた状態で、ピルファープルーフバンド１５の内径と略等しい外径を有する突出部分２４を形成しており、それによって、図９（Ｂ）に示すように、キャップの装着時の締め付けが完了した時点で、ピルファープルーフバンド１５の下端内面の小径部１７が、口頸部２１の突出部分２４を乗り越えて、該突出部分２４の外端がピルファープルーフバンド１５の内面に当接するようにして、ピルファープルーフバンド１５が内方に変形するのを抑えるようにしている。なお、この具体例では、ピルファープルーフバンド１５の小径部１７が、係合片２３と突出部分２４とによって全周的に抜け止めされることで、係合片２３の数が部分的に減らされていても、容器本体２を逆さにした時、ピルファープルーフバンド１５が口頸部２１から抜け落ちるのを確実に防止することができる。
【００３６】
以上、本発明のピルファープルーフ機構付き容器の各実施形態について説明したが、本発明は、上記の各実施形態に示したような具体的な構造に限られるものではなく、例えば、上記の各実施形態では、ピルファープルーフバンドの側の等間隔の係合片に対して、口頸部の側の係合片の位置をずらせるようにしているが、その逆に、口頸部の側の等間隔の係合片に対して、ピルファープルーフバンドの側の係合片の位置をずらせるようにしても良く、また、キャップとピルファープルーフバンドを切り離すための弱化部については、ブリッジの数や配置状態や大きさは、目的とする破断強度を考慮して適宜に設定可能なものであり、全体の構造としては、キャップの内面側に形成されたブリッジの部分だけを残すように外方から切断刃での切り込みにより水平スリットを形成するような異なるタイプの弱化部であっても良く、また、ピルファープルーフバンドと口頸部とにそれぞれ形成するラチェット係合片の形状や個数については、弱化部の破断強度やキャップ装着時の許容トルクなどから適宜に設定されるものであり、また、容器の開封後にピルファープルーフバンドを容器本体の口頸部に残すことなく取り去るような場合には、ピルファープルーフバンドの下端内面に小径部を形成する必要はない等、適宜設計変更可能なものであることは言うまでもない。
【００３７】
【発明の効果】
以上説明したような本発明のピルファープルーフ機構付き容器によれば、キャップのピルファープルーフバンド側に形成された係合片と、容器本体の口頸部側に形成された係合片とによるラチェット係合について、容器本体の口頸部へのキャップの装着時には、対向する係合片同士の全てで同時的に乗り上げが起こらず、そのうちの幾つかずつでタイミングをずらせて乗り上げが起きるため、対向する係合片同士の乗り越えによるトルクの一時的な増大量を小さく抑えることができ、しかも、キャップの締め付けが完了する直前では、係合片同士の乗り越えを２箇所のみと少なくして、締め付け直前での乗り越えによるトルク増大量を最も小さくしてため、キャッピングマシーンを誤動作させることなく、キャップの締め付けを確実に行なうことができる。また、容器の開封時には、対向する係合片同士のうちの２個所による係合状態が外れた（開栓方向に乗り越えた）としても、それに続いて残り４個所以上で係合片同士による係合が始まることから、両方の係合片によるラチェット係合の効果を確実に得ることができ、それによって、キャップとピルファープルーフバンドの切り離しを確実に行なうことができる。
【図面の簡単な説明】
【図１】
本発明のピルファープルーフ機構付き容器の第１実施形態について、キャップが装着される前の容器の全体を示す部分切り欠き側面図。
【図２】
図１に示した実施形態について、キャップが装着されて未開封の状態での容器の上部を示す部分断面側面図。
【図３】
図１に示した実施形態について、口頸部とピルファープルーフバンドとにそれぞれ形成されるラチェット係合片の配置状態を示す平面説明図。
【図４】
図１に示した実施形態について、口頸部の下端付近でのピルファープルーフバンドの、（Ａ）キャップ締め付け完了前の状態と、（Ｂ）キャップ締め付け完了後の状態と、（Ｃ）キャップを取り外した容器開封後の状態とをそれぞれ示す縦断面図。
【図５】
本発明のピルファープルーフ機構付き容器の第２実施形態について、容器本体の一具体例を示す側面図。
【図６】
図５に示した容器本体の具体例について、（Ａ）上面図と（Ｂ）口頸部の一部分（突出部分が形成された部分）の断面構造を示す縦断面図。
【図７】
本発明のピルファープルーフ機構付き容器の第２実施形態について、容器本体の他の具体例を示す側面図。
【図８】
図７に示した容器本体の具体例について、（Ａ）上面図と（Ｂ）口頸部の一部分（突出部分が形成された部分）の断面構造を示す縦断面図。
【図９】
本発明のピルファープルーフ機構付き容器の第２実施形態について、（Ａ）図５に示した容器本体の具体例の場合と、（Ｂ）図７に示した容器本体の具体例の場合とのそれぞれで、口頸部の下端付近で突出部分が形成された個所でのキャップ締め付け完了後のピルファープルーフバンドの状態を示す縦断面図。
【符号の説明】
１        キャップ）
２        容器本体
１２      スカート部
１３      キャップのネジ
１４      弱化部
１５      ピルファープルーフバンド
１６      ピルファープルーフバンドの係合片（ラチェット係合片）
２１      容器本体の口頸部
２２      口頸部のネジ
２３      口頸部の係合片（ラチェット係合片）
２４      口頸部の突出部分
【手続補正２】
【補正対象書類名】図面
【補正対象項目名】全図
【補正方法】変更
【補正の内容】
【図１】
2004106845.tif 000001
【図２】
2004106845.tif 000002
【図３】
2004106845.tif 000003
【図４】
2004106845.tif 000004
【図５】
2004106845.tif 000005
【図６】
2004106845.tif 000006
【図７】
2004106845.tif 000007
【図８】
2004106845.tif 000008
【図９】
2004106845.tif 000009